(57)【要約】【課題】無停電電源システムに設けられたセンサによって検出された値をより容易に取得できる検出情報送信装置、無停電電源システム、検出情報送信方法及びコンピュータプログラムを提供することである。【解決手段】実施形態の検出情報送信装置は、取得部、通信制御部及び記録制御部を持つ。取得部は、無停電電源システムに設置されたセンサによって検出された値を取得する。通信制御部は、前記無停電電源システムの状態が所定の状態である場合に、前記センサによって検出された値を含む検出情報をサーバに送信する。記録制御部は、前記無停電電源システムの状態が前記所定の状態でない場合に、前記検出情報を記憶部に記録する。さらに、前記通信制御部は、前記無停電電源システムの状態が前記所定の状態ではなくなった後に前記所定の状態となった場合、前記記憶部に記録された前記検出情報を前記サーバに送信する。【選択図】図２
2016059231.tif 000002
【特許請求の範囲】
【請求項１】
無停電電源システムに設置されたセンサによって検出された値を取得する取得部と、
前記無停電電源システムの状態が所定の状態である場合に、前記センサによって検出された値を含む検出情報をサーバに送信する通信制御部と、
前記無停電電源システムの状態が前記所定の状態でない場合に、前記検出情報を記憶部に記録する記録制御部と、を備え、
前記通信制御部は、前記無停電電源システムの状態が前記所定の状態ではなくなった後に前記所定の状態となった場合、前記記憶部に記録された前記検出情報を前記サーバに送信する、検出情報送信装置。
【請求項２】
前記所定の状態は、前記無停電電源システムに対し商用電源から電力が供給されている状態である、請求項１に記載の検出情報送信装置。
【請求項３】
前記所定の状態は、前記無停電電源システムに対し商用電源から電力が供給されている状態と、前記無停電電源システムに対し前記商用電源から電力が供給されていない状態であって且つ前記無停電電源システムに対し商用電源から電力が供給されなくなってから所定の時間が経過していない状態と、である請求項１に記載の検出情報送信装置。
【請求項４】
前記所定の状態は、前記無停電電源システムの蓄電量が所定の閾値以上の状態である、請求項１に記載の検出情報送信装置。
【請求項５】
請求項１から請求項４のいずれか一項に記載の検出情報送信装置と、
商用電源から供給される交流電力を直流電力に変換するコンバータと、
前記コンバータから出力される前記直流電力を蓄電する蓄電池から放電される直流電力、又は、前記コンバータから出力される前記直流電力を、交流電力に変換し、前記交流電力を負荷に供給するインバータと、
前記コンバータ又は前記インバータの付近に設置され、検出された値を表す信号を前記検出情報送信装置に出力するセンサと、
を備える無停電電源システム。
【請求項６】
無停電電源システムに設置されたセンサによって検出された値を取得する取得ステップと、
前記無停電電源システムの状態が所定の状態である場合に、前記センサによって検出された値を含む検出情報をサーバに送信する第一通信制御ステップと、
前記無停電電源システムの状態が前記所定の状態でない場合に、前記検出情報を記憶部に記録する記録制御ステップと、
前記無停電電源システムの状態が前記所定の状態ではなくなった後に前記所定の状態となった場合、前記記憶部に記録された前記検出情報を前記サーバに送信する第二通信制御ステップと、
を有する検出情報送信方法。
【請求項７】
無停電電源システムに設置されたセンサによって検出された値を取得する取得ステップと、
前記無停電電源システムの状態が所定の状態である場合に、前記センサによって検出された値を含む検出情報をサーバに送信する第一通信制御ステップと、
前記無停電電源システムの状態が前記所定の状態でない場合に、前記検出情報を記憶部に記録する記録制御ステップと、
前記無停電電源システムの状態が前記所定の状態ではなくなった後に前記所定の状態となった場合、前記記憶部に記録された前記検出情報を前記サーバに送信する第二通信制御ステップと、
をコンピュータに実行させるためのコンピュータプログラム。
【発明の詳細な説明】
【技術分野】
【０００１】
本発明の実施形態は、検出情報送信装置、無停電電源システム、検出情報送信方法及びコンピュータプログラムに関する。
【背景技術】
【０００２】
データセンター等の重要負荷設備に用いられる無停電電源システムは、温度の影響を受ける機器を多く備える。そのため、無停電電源システムに対する温度管理は重要である。
無停電電源システムが備える各盤内には、温度を測定する温度センサが配置されている。温度センサによって測定された温度のデータ（以下「温度データ」という。）は、不揮発性の記録媒体に記録されている。しかしながら、温度データを取得するためには無停電電源システムへ赴き記録媒体からデータを読み出す必要があった。そのため、温度データの解析に手間や時間を要してしまう場合があった。このような問題は温度データに限られず、無停電電源システムに設けられたセンサによって検出された値全般に共通した問題であった。
【先行技術文献】
【特許文献】
【０００３】
【特許文献１】特開２０１０−２２０２９１号公報
【発明の概要】
【発明が解決しようとする課題】
【０００４】
本発明が解決しようとする課題は、無停電電源システムに設けられたセンサによって検出された値をより容易に取得できる検出情報送信装置、無停電電源システム、検出情報送信方法及びコンピュータプログラムを提供することである。
【課題を解決するための手段】
【０００５】
実施形態の検出情報送信装置は、取得部、通信制御部及び記録制御部を持つ。取得部は、無停電電源システムに設置されたセンサによって検出された値を取得する。通信制御部は、前記無停電電源システムの状態が所定の状態である場合に、前記センサによって検出された値を含む検出情報をサーバに送信する。記録制御部は、前記無停電電源システムの状態が前記所定の状態でない場合に、前記検出情報を記憶部に記録する。さらに、前記通信制御部は、前記無停電電源システムの状態が前記所定の状態ではなくなった後に前記所定の状態となった場合、前記記憶部に記録された前記検出情報を前記サーバに送信する。
【図面の簡単な説明】
【０００６】
【図１】実施形態の無停電電源システム１００のシステム構成を示す図である。
【図２】実施形態の無停電電源システム１００の構成の詳細を示す概略ブロック図である。
【図３】検出情報送信部１０５の構成を表す概略ブロック図である。
【図４】第１の動作例を示すフローチャートである。
【図５】第２の動作例を示すフローチャートである。
【図６】第３の動作例を示すフローチャートである。
【図７】第４の動作例を示すフローチャートである。
【発明を実施するための形態】
【０００７】
図１は、実施形態の無停電電源システム１００のシステム構成を示す図である。無停電電源システム１００は、無停電電源装置１０、変圧器盤２０、複数の蓄電池盤３０を備える。
【０００８】
無停電電源装置１０は、ＣＶＣＦ（Constant Voltage Constant Frequency：定電圧定周波数）電源である。無停電電源装置１０は、交流の商用電源から電力が供給されている場合（以下「平常時」という。）には、変圧器盤２０を介して交流の商用電源から供給される交流電力を負荷に供給する。このような平常時における無停電電源システム１００の稼働状態を、「平常状態」という。一方、交流の商用電源による交流電力の供給が停止した場合（以下「障害時」という。）、無停電電源装置１０は、蓄電池盤３０内の蓄電池から交流電力を負荷に供給する。このような障害時における無停電電源システム１００の稼働状態を「放電状態」という。無停電電源装置１０は、上述した二つの稼働状態の切り替えを制御する。
【０００９】
変圧器盤２０は、変圧器を備える。変圧器盤２０は、商用電源から供給される交流電力を、所定の波高値の交流電力に変換する。変圧器盤２０は、変換された交流電力を無停電電源装置１０に供給する。
【００１０】
蓄電池盤３０は、蓄電池を備える。蓄電池盤３０は、平常時には、変圧器盤２０及び無停電電源装置１０を介して交流の商用電源から供給される電力の一部を蓄電する。一方、障害時には、蓄電されていた電力を無停電電源装置１０に放電する。
【００１１】
図２は、実施形態の無停電電源システム１００の構成の詳細を示す概略ブロック図である。以下、図２を用いて無停電電源システム１００の各装置の構成について説明する。
無停電電源装置１０は、コンバータ１０１、インバータ１０２、切替器１０３、制御部１０４、検出情報送信部１０５、記憶部１０６、通信部１０７及び複数のセンサ１０８を備える。制御部１０４及び検出情報送信部１０５は、ＣＰＵ（Central Processing Unit）等のプロセッサがプログラムを実行することによって実現される。制御部１０４及び検出情報送信部１０５は、ＡＳＩＣ（Application Specific Integrated Circuit）やＰＬＤ（Programmable Logic Device）やＦＰＧＡ（Field Programmable Gate Array）等のハードウェアを用いて実現されてもよい。
【００１２】
コンバータ１０１は、変圧器盤２０を介して商用電源７０から供給される交流電力を直流電力に変換する。
インバータ１０２は、コンバータ１０１から出力される直流電力と、蓄電池盤３０から供給される直流電力とを交流電力に変換する。インバータ１０２から出力された交流電力は切替器１０３を介して負荷に供給される。
【００１３】
切替器１０３は、負荷４０に供給される交流電力の供給経路を、制御部１０４の制御にしたがって切り替える。供給経路には２つの種類がある。第１の供給経路は、コンバータ１０１及びインバータ１０２を経由する供給経路である。第２の供給経路は、コンバータ１０１及びインバータ１０２を経由しない供給経路である。第１の供給経路は、通常時に利用される経路である。第２の供給経路は、例えば無停電電源装置１０のメンテナンス時など第１の供給経路を用いることができない際に利用される経路である。
【００１４】
制御部１０４は、コンバータ１０１、インバータ１０２及び切替器１０３を制御する。制御部１０４は、例えば無停電電源装置１０の使用者によって経路切替の指示がなされた場合、その時点で利用されている供給経路を他の供給経路に切り替えるように切替器１０３を制御する。制御部１０４は、その他無停電電源装置１０が動作するために必要となる各種の制御を行う。
【００１５】
検出情報送信部１０５は、検出情報送信装置の一具体例である。検出情報送信部１０５は、複数のセンサ１０８から受ける出力信号に基づいて、各センサ１０８によって検出された値を取得する。例えば、センサ１０８が温度センサである場合、検出情報送信部１０５はセンサ１０８によって検出された温度の値を取得する。検出情報送信部１０５は、センサ１０８の識別情報と、そのセンサ１０８によって検出された値と、検出がなされた日時と、が対応付けられた情報（以下「検出情報」という。）を生成する。無停電電源システム１００の状態が所定の状態である場合、検出情報送信部１０５は、検出情報をサーバ５０へ送信することを通信部１０７に指示する。無停電電源システム１００の状態が所定の状態ではない場合、検出情報送信部１０５は、検出情報を記憶部１０６に記録する。なお、センサ１０８の設置位置とセンサ１０８の識別情報とは１対１に予め対応付けられている。そのため、センサ１０８の識別情報に基づいて、そのセンサ１０８の設置位置を取得する事が可能である。
【００１６】
記憶部１０６は、ハードディスク装置や半導体記憶装置等の記憶装置を用いて構成される。記憶部１０６は、検出情報送信部１０５によって記録される値を記憶する。
通信部１０７は、ネットワーク６０を介してサーバ５０との間で通信を行う通信インタフェースである。通信部１０７は、検出情報送信部１０５から送信を指示されたデータを信号に変換し、ネットワーク６０を介してサーバ５０へ送信する。通信部１０７は、ネットワーク６０を介してサーバ５０から送信された信号を受信し、受信された信号をデータに復元する。
【００１７】
センサ１０８（１０８−１〜１０８−４）は、センサの種別と周囲の環境とに応じて信号を出力する。例えば、センサ１０８が温度センサである場合、センサ１０８は周囲の温度を表す信号を検出情報送信部１０５に出力する。例えば、センサ１０８が湿度センサである場合、センサ１０８は周囲の湿度を表す信号を検出情報送信部１０５に出力する。センサ１０８は温度センサ又は湿度センサとは異なる種別のセンサであってもよい。以下、センサ１０８が温度センサであると仮定して説明を行う。
【００１８】
センサ１０８は、無停電電源システム１００の各装置の内部又は外部に設けられる。センサ１０８−１〜１０８−４は、無停電電源装置１０の内部の複数の位置に設けられる。センサ１０８−１はコンバータ１０１付近に設けられる。センサ１０８−２はインバータ１０２付近に設けられる。センサ１０８−３は切替器１０３付近に設けられる。センサ１０８−４は制御部１０４付近に設けられる。なお、センサ１０８が設けられる位置及びセンサ１０８の数は、上述した位置及び数に限定されない。
【００１９】
変圧器盤２０は、変圧器２０１及びセンサ１０８−５を備える。変圧器２０１は、商用電源７０から供給される交流電力を、所定の波高値の交流電力に変換する。センサ１０８−５は、変圧器盤２０の内部に設けられる。センサ１０８−５は、変圧器２０１の付近に設けられる。
【００２０】
蓄電池盤３０は、蓄電池３０１及びセンサ１０８−６を備える。
蓄電池３０１は、蓄電及び放電を行う充電可能な電池である。平常状態では、蓄電池３０１は、コンバータ１０１の出力（直流電力）を蓄電する。放電状態では、蓄電池３０１は、蓄電されていた直流電力をインバータ１０２へ放電する。
センサ１０８−６は、蓄電池盤３０の内部に設けられる。センサ１０８−６は、蓄電池３０１の付近に設けられる。
【００２１】
負荷４０は、無停電電源装置１０から供給される交流電力によって動作する電気機器である。
サーバ５０は、無停電電源システム１００のセンサ１０８によって検出された値を記録する。例えば、サーバ５０は、無停電電源装置１０の検出情報送信部１０５によって生成された検出情報を、ネットワーク６０を介して受信する。サーバ５０は、受信された検出情報を記録する。サーバ５０は、所定のユーザに対し、ネットワーク６０を介して検出情報を提供する。検出情報の提供方法はどのような方法であってもよい。例えば、サーバ５０はＨＴＴＰＤ（HyperText Transfer Protocol Daemon）の機能を用いてウェブサーバとして動作し、ＨＴＭＬデータを送信することによって検出情報をユーザに提供してもよい。例えば、サーバ５０はＤＢＭＳ（DataBase Management System）の機能を用いてデータベースサーバとして動作し、クエリへ応答することによって検出情報をユーザに提供してもよい。
【００２２】
ネットワーク６０は、インターネットやイーサネット（登録商標）などの通信ネットワークである。ネットワーク６０は、互いに離れて位置する無停電電源装置１０及びサーバ５０を通信可能に接続する。
商用電源７０は、電力会社から提供される交流電力を供給するための設備である。
【００２３】
次に、検出情報送信部１０５の構成について説明する。図３は、検出情報送信部１０５の構成を表す概略ブロック図である。検出情報送信部１０５は、取得部５１、判定部５２、通信制御部５３及び記録制御部５４を備える。
取得部５１は、複数のセンサ１０８から受ける出力信号に基づいて、各センサ１０８によって検出された値を取得する。取得部５１は、センサ１０８の識別情報と、そのセンサ１０８によって検出された値と、検出がなされた日時と、が対応付けられた検出情報を生成する。
【００２４】
判定部５２は、無停電電源システム１００の状態が所定の状態であるか否か判定する。所定の状態とは、無停電電源システム１００の稼働時間を長く維持するための処理を実行する必要がある状態のことである。例えば、無停電電源システム１００の稼働状態が平常状態であることが所定の状態であってもよい（第１の動作例）。例えば、無停電電源システム１００の稼働状態が平常状態であることと、稼働状態が放電状態になってから所定の時間が経過していないことと、が所定の状態であってもよい（第２の動作例）。例えば、無停電電源システム１００の蓄電量が閾値以上であることが所定の状態であってもよい（第３の動作例）。例えば、所定の状態は、上述した状態の組み合わせであっても良い（第４の動作例）。
【００２５】
通信制御部５３は、無停電電源システム１００の状態が所定の状態である場合、検出情報をサーバ５０へ送信することを通信部１０７に指示する。
記録制御部５４は、無停電電源システム１００の状態が所定の状態ではない場合、検出情報を記憶部１０６に記録する。
【００２６】
次に、検出情報送信部１０５の動作に関して複数の具体例を説明する。
まず、第１の動作例について説明する。図４は、第１の動作例を示すフローチャートである。検出情報送信部１０５は、各センサ１０８からセンサ出力（出力信号）を取得する（ステップＳ１０１）。次に、検出情報送信部１０５は、制御部１０４から無停電電源システム１００の稼働状態を表す情報を取得する。無停電電源システム１００の稼働状態が平常状態である場合（ステップＳ１０２−平常状態）、検出情報送信部１０５は、センサ出力に基づいて生成された検出情報をサーバ５０に送信する（ステップＳ１０３）。そして、ステップＳ１０１の処理に戻る。
【００２７】
一方、無停電電源システム１００の稼働状態が放電状態である場合（ステップＳ１０２−放電状態）、検出情報送信部１０５は検出情報を記憶部１０６に記録する（ステップＳ１０４）。次に、検出情報送信部１０５は、制御部１０４から無停電電源システム１００の稼働状態を表す情報を取得する。商用電源７０からの電力供給が復旧していない場合（ステップＳ１０５−ＮＯ）、すなわち稼働状態が放電状態である場合、検出情報送信部１０５は各センサ１０８からセンサ出力を取得する（ステップＳ１０６）。そして、ステップＳ１０４の処理に戻る。稼働状態が一度放電状態になった場合、電力供給が復旧するまでの間は、検出情報送信部１０５はステップＳ１０４〜Ｓ１０６の処理を繰り返し実行する。ステップＳ１０４〜Ｓ１０６の処理の繰り返しにおいて記憶部１０６に蓄積された複数の検出情報のかたまりを、記録情報と呼ぶ。
【００２８】
ステップＳ１０５において商用電源７０からの電力供給が復旧した場合（ステップＳ１０５−ＹＥＳ）、すなわち稼働状態が平常状態となった場合、検出情報送信部１０５は記録情報をサーバ５０へ送信する（ステップＳ１０７）。そして、ステップＳ１０１の処理に戻る。
【００２９】
このように構成された第１の動作例では、センサ１０８によって検出された値は、通信部１０７によってサーバ５０に送信される。サーバ５０は、無停電電源装置１０から送信された情報を蓄積し公開する。そのため、ユーザはセンサ１０８による検出結果をより容易に取得することが可能となる。すなわち、センサ１０８による検出結果を取得したいユーザは、わざわざ無停電電源装置１０に赴き記録媒体（例えば記憶部１０６）から検出結果の記録を読み出す必要が無い。ユーザは、ウェブサーバやデータベースサーバ等のサーバ５０にネットワーク６０を介して端末装置からアクセスすることによって、公開されている検出結果を容易に取得する事ができる。
【００３０】
また、無停電電源システム１００の稼働状態が放電状態である場合、検出情報送信部１０５は検出情報をサーバ５０へ送信せず、記憶部１０６に記録する。そして、稼働状態が平常状態に戻ると、検出情報送信部１０５は記録情報をまとめてサーバ５０へ送信する。このように構成されることにより、放電状態における電力消費を低減させることが可能となる。すなわち、通信部１０７からサーバ５０へ送信する際に消費する電力は、記憶部１０６に検出情報を記録する際に消費する電力よりも一般的に高い。このように高い消費電力を要する処理を実行しないことにより、放電状態における無停電電源システム１００の稼働時間を長くすることが可能となる。また、記憶部１０６に蓄積された検出情報は復旧後にまとめてサーバ５０に送信される。そのため、ユーザは放電状態における各センサ１０８の検出結果をサーバ５０にアクセスすることによって容易に取得する事が可能となる。
【００３１】
次に、第２の動作例について説明する。図５は、第２の動作例を示すフローチャートである。第２の動作例のフローチャートにおいて、第１の動作例と同じ処理については同じ符号を付し説明を省略する。
【００３２】
無停電電源システム１００の稼働状態が放電状態である場合（ステップＳ１０２−放電状態）、検出情報送信部１０５はタイマによる計時を開始する。タイマは、例えば判定部５２に備えられてもよい。検出情報送信部１０５は、計時結果に基づき、放電状態となってから所定時間が経過したか判定する（ステップＳ２０１）。所定時間が経過していない場合（ステップＳ２０１−ＮＯ）、検出情報送信部１０５は、センサ出力に基づいて生成された検出情報をサーバ５０に送信する（ステップＳ２０２）。次に、検出情報送信部１０５は各センサ１０８からセンサ出力を取得する（ステップＳ２０３）。そして、ステップＳ２０１の処理に戻る。
一方、ステップＳ２０１において所定時間が経過した場合（ステップＳ２０１−ＹＥＳ）、ステップＳ１０４以降の処理が実行される。
【００３３】
このように構成された第２の動作例では、第１の動作例と同様の効果を得ることができる。さらに、第２の動作例では、稼働状態が放電状態となってから所定時間が経過するまでの間は検出情報がサーバ５０に送信される。そして、所定時間が経過した後の検出情報は記憶部１０６に記録され、復旧後にサーバ５０に送信される。このように構成されることにより、稼働状態の切り替え直後の検出情報が即座にサーバ５０に蓄積され公開される。一般的に、稼働状態が切り替えられてから時間が経過した後よりも、切り替え直後の方が障害が生る可能性が高い。そのため、障害が生じやすい時間帯の検出情報を迅速にユーザが確認可能となることで、万が一障害が生じた場合に迅速に対応することが可能となる。
【００３４】
次に、第３の動作例について説明する。図６は、第３の動作例を示すフローチャートである。検出情報送信部１０５は、各センサ１０８からセンサ出力（出力信号）を取得する（ステップＳ３０１）。次に、検出情報送信部１０５は、制御部１０４から蓄電池盤３０の蓄電量を表す情報を取得する。蓄電量が、予め検出情報送信部１０５（判定部５２）に設定されている閾値以上である場合（ステップＳ３０２−ＹＥＳ）、検出情報送信部１０５は、センサ出力に基づいて生成された検出情報をサーバ５０に送信する（ステップＳ３０３）。そして、ステップＳ３０１の処理に戻る。
【００３５】
一方、蓄電量が、予め検出情報送信部１０５に設定されている閾値未満である場合（ステップＳ３０２−ＮＯ）、検出情報送信部１０５は検出情報を記憶部１０６に記録する（ステップＳ３０４）。次に、検出情報送信部１０５は、制御部１０４から蓄電池盤３０の蓄電量を表す情報を取得する。蓄電量が閾値以上に回復していない場合（ステップＳ３０５−ＮＯ）、すなわち蓄電量が閾値未満である場合、検出情報送信部１０５は各センサ１０８からセンサ出力を取得する（ステップＳ３０６）。そして、ステップＳ３０４の処理に戻る。蓄電量が一度閾値未満になった場合、蓄電量が閾値以上に回復するまでの間は、検出情報送信部１０５はステップＳ３０４〜Ｓ３０６の処理を繰り返し実行する。ステップＳ３０４〜Ｓ３０６の処理の繰り返しにおいて記憶部１０６に蓄積された複数の検出情報のかたまりを、記録情報と呼ぶ。
【００３６】
ステップＳ３０５において蓄電量が閾値以上に回復した場合（ステップＳ３０５−ＹＥＳ）、すなわち蓄電量が閾値以上となった場合、検出情報送信部１０５は記録情報をサーバ５０へ送信する（ステップＳ３０７）。そして、ステップＳ３０１の処理に戻る。
【００３７】
このように構成された第３の動作例では、センサ１０８によって検出された値は、通信部１０７によってサーバ５０に送信される。サーバ５０は、無停電電源装置１０から送信された情報を蓄積し公開する。そのため、ユーザはセンサ１０８による検出結果をより容易に取得することが可能となる。
【００３８】
また、蓄電池盤３０の蓄電量が閾値未満である場合、検出情報送信部１０５は検出情報をサーバ５０へ送信せず、記憶部１０６に記録する。そして、蓄電量が閾値以上に回復すると、検出情報送信部１０５は記録情報をまとめてサーバ５０へ送信する。このように構成されることにより、蓄電量が少ない状態における電力消費を低減させることが可能となる。すなわち、通信部１０７からサーバ５０へ送信する際に消費する電力は、記憶部１０６に検出情報を記録する際に消費する電力よりも一般的に高い。このように高い消費電力を要する処理を実行しないことにより、蓄電量が少ない状態における無停電電源システム１００の稼働時間を長くすることが可能となる。また、記憶部１０６に蓄積された検出情報は蓄電量が回復した後にまとめてサーバ５０に送信される。そのため、ユーザは蓄電量が少ない状態における各センサ１０８の検出結果をサーバ５０にアクセスすることによって容易に取得する事が可能となる。
【００３９】
次に、第４の動作例について説明する。図７は、第４の動作例を示すフローチャートである。第４の動作例のフローチャートにおいて、第１の動作例と同じ処理については同じ符号を付し説明を省略する。
【００４０】
ステップＳ１０５において、商用電源７０からの電力供給が復旧した場合（ステップＳ１０５−ＹＥＳ）、すなわち稼働状態が平常状態である場合、検出情報送信部１０５は、蓄電量が予め検出情報送信部１０５に設定されている閾値以上であるか否か判定する（ステップＳ４０１）。蓄電量が閾値未満である場合（ステップＳ４０１−ＮＯ）、検出情報送信部１０５は各センサ１０８からセンサ出力を取得する（ステップＳ１０６）。そして、ステップＳ１０４の処理に戻る。稼働状態が一度放電状態になった場合、電力供給が復旧し且つ蓄電量が閾値以上に回復するまでの間は、検出情報送信部１０５はステップＳ１０４〜Ｓ１０６の処理（ステップＳ４０１の処理を含む）を繰り返し実行する。ステップＳ１０４〜Ｓ１０６の処理（ステップＳ４０１の処理を含む）の繰り返しにおいて記憶部１０６に蓄積された複数の検出情報のかたまりを、記録情報と呼ぶ。
【００４１】
無停電電源システム１００の稼働状態が平常状態である場合（ステップＳ１０２−平常状態）、検出情報送信部１０５は、蓄電量が予め検出情報送信部１０５に設定されている閾値以上であるか否か判定する（ステップＳ４０２）。蓄電量が閾値未満である場合（ステップＳ４０２−ＮＯ）、検出情報送信部１０５は検出情報を記憶部１０６に記録する（ステップＳ４０３）。そして、ステップＳ１０１の処理に戻る。
【００４２】
一方、ステップＳ４０２において蓄電量が閾値以上である場合（ステップＳ４０２−ＹＥＳ）、検出情報送信部１０５は、センサ出力に基づいて生成された検出情報をサーバ５０に送信する（ステップＳ４０４）。ステップＳ４０４において、サーバ５０に送信されていない検出情報が記憶部１０６に記録されている場合、検出情報送信部１０５は記録情報もサーバ５０に送信する。そして、ステップＳ１０１の処理に戻る。なお、サーバ５０に送信された検出情報であるか否かは、例えばサーバ５０に送信済みであることを示すフラグを設けることにより管理可能である。サーバ５０に送信された検出情報であるか否かは、他の方法により管理されてもよい。
【００４３】
このように構成された第４の動作例では、第１の動作例と同様の効果を得ることができる。さらに、第４の動作例では、平常状態であり且つ蓄電量が閾値以上である場合に検出情報がサーバ５０に送信される。そのため、放電状態における電力消費と、蓄電量が少ない状態における電力消費とのいずれをも低減させることが可能となる。したがって、放電状態における無停電電源システム１００の稼働時間と、蓄電量が少ない状態における無停電電源システム１００の稼働時間とを長くすることが可能となる。
【００４４】
次に、サーバ５０の構成の具体例について説明する。サーバ５０は、複数の無停電電源システム１００から受信した検出情報に基づいて、障害が起きている可能性がある（又は、障害が生じる可能性がある）無停電電源システム１００を判定してもよい。判定処理は、例えば以下のように行われてもよい。
【００４５】
まず、サーバ５０は、判定対象となる無停電電源システム１００の検出情報が、他の複数の無停電電源システム１００の検出情報との間で有意差があるか否か判定する。有意差があるか否かの判定には、例えば外れ値か否かを判定するための技術が用いられても良い。外れ値か否かを判定するための技術の具体例として、スミルノフ・グラブス検定や、トンプソン検定がある。サーバ５０は、有意差があると判定された検出情報について、その無停電電源システム１００に異常が起きている可能性がある（又は、障害が生じる可能性がある）と判定する。サーバ５０は、判定結果を、サーバ５０の管理者に通知してもよい。サーバ５０は、ネットワーク６０を介してユーザに対して判定結果を提供してもよい。サーバ５０は、判定結果を、判定対象の無停電電源システム１００の管理者に通知してもよい。
【００４６】
サーバ５０は、無停電電源システム１００が設置された空間の空調設備を制御可能なシステム（例えばＢＥＭＳ：Building Energy Management System）の一部であってもよい。サーバ５０は、上記の判定結果で異常が起きている可能性がある（又は、障害が生じる可能性がある）と判定した場合、判定対象の無停電電源システム１００が設置された空間の空調設備について、検出結果の有意差が無くなるような制御を行ってもよい。例えば、サーバ５０は、他の検出結果よりも有意差をもって温度が高いと判定された場合、設定温度を下げる制御を行ってもよい。例えば、サーバ５０は、他の検出結果よりも有意差をもって湿度が高いと判定された場合、設定湿度を下げる制御を行ってもよい。このような処理が行われることにより、自動的に障害の発生や悪化を抑制することが可能となる。
【００４７】
以上述べた少なくともひとつの実施形態の無停電電源システム１００によれば、センサ１０８による検出結果がサーバ５０に送信され公開される。そのため、ユーザは検出結果をより容易に取得することが可能となる。
【００４８】
無停電電源システム１００は、複数の蓄電池盤３０を備えてもよい。その場合、各蓄電池盤３０にセンサ１０８が設けられてもよい。蓄電池盤３０は、複数の蓄電池３０１を備えてもよい。その場合、各蓄電池３０１にセンサ１０８が設けられてもよい。
【００４９】
検出情報送信部１０５は、必ずしも無停電電源装置１０の一部として設けられる必要は無い。検出情報送信部１０５は、単体の装置として無停電電源装置１０に接続されても良い。検出情報送信部１０５は、無停電電源装置１０に接続された他の装置（例えば、変圧器盤２０又は蓄電池盤３０）の一部として設けられてもよい。
【００５０】
上述した実施形態における検出情報送信部１０５の機能をコンピュータで実現しても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１００…無停電電源システム、１０…無停電電源装置、２０…変圧器盤、３０…蓄電池盤、４０…負荷、５０…サーバ、６０…ネットワーク、１０１…コンバータ、１０２…インバータ、１０３…切替器、１０４…制御部、１０５…検出部、１０６…記憶部、１０７…通信部、１０８…センサ、２０１…変圧器、３０１…蓄電池、５１…取得部、５２…判定部、５３…通信制御部、５４…記録制御部
【図１】
2016059231.tif 000003
【図２】
2016059231.tif 000004
【図３】
2016059231.tif 000005
【図４】
2016059231.tif 000006
【図５】
2016059231.tif 000007
【図６】
2016059231.tif 000008
【図７】
2016059231.tif 000009